(57)【要約】【課題】剃り時の安全性を一層高める剃刀具を提供する。【解決手段】柄２の先端部３ｂに取付けられた刃３に、刃先３ａを所定間隔で露出させるスリットを形成するよう、刃先３ａを複数箇所で覆うブリッジ３３を備えるセーフティガードを装着した剃刀具３０であって、  セーフティガードのスリットは、刃先３ａの先端部３ｂの端側に形成される第一サブスリット３４と、第一サブスリット３４に隣接して第一サブスリット３４の幅３８より小さい幅で形成される第二サブスリット３５と、第二サブスリット３５に隣接して第二サブスリット３５の幅４０より小さい幅で形成される第三サブスリット３６と、第三サブスリット３６に隣接して形成される複数のメインスリット３７とを備え、  第二サブスリット３５及び第三サブスリット３６は、剃り時の安全性を高めるよう構成される。【選択図】図３
2007075497.tif 000002
【特許請求の範囲】
【請求項１】
柄の先端部に取付けられた刃に、刃先を所定間隔で露出させるスリットを形成するよう、刃先を複数箇所で覆うブリッジを備えるセーフティガードを装着した剃刀具であって、
前記セーフティガードのスリットは、前記刃先の先端部の端側に形成される第一サブスリットと、該第一サブスリットに隣接して第一サブスリットの幅より小さい幅で形成される第二サブスリットと、該第二サブスリットに隣接して第二サブスリットの幅より小さい幅で形成される第三サブスリットと、第三サブスリットに隣接して形成される複数のメインスリットとを備え、
前記第二サブスリット及び第三サブスリットは、剃り時の安全性を高めるよう構成されたことを特徴とする剃刀具。
【請求項２】
第一サブスリットの幅を０．８ｍｍ以上３．０ｍｍ未満に、第二サブスリットの幅を０．６ｍｍ以上２．０ｍｍ未満に、第三サブスリットの幅を０．３ｍｍ以上０．８ｍｍ以下に、メインスリットの幅を０．６ｍｍ以上６．０ｍｍ以下に、ブリッジの幅を０．１ｍｍ以上０．５ｍｍ以下にしたことを特徴とする請求項１記載の剃刀具。
【請求項３】
メインスリットが、頻繁に使用する刃先の中央に形成される第一メインスリットと、刃先の先端部の側に幅を第一メインスリットの幅より小さく且つ第三サブスリットの幅より大きくして形成される第二メインスリットと、刃先の基端部の側に幅を第一メインスリットの幅より小さくして形成される第三メインスリットとを備え、
第一メインスリットは、斜め剃り、深剃り、剃り効率の向上の少なくとも１つを行い得るよう構成されたことを特徴とする請求項１又は２記載の剃刀具。
【請求項４】
第一メインスリットの幅を３．０ｍｍより大きく６．０ｍｍ以下に、第二メインスリットの幅を０．６ｍｍ以上３．０ｍｍ以下に、第三メインスリットの幅を０．６ｍｍ以上３．０ｍｍ以下にしたことを特徴とする請求項３記載の剃刀具。
【請求項５】
第一メインスリットの存在区間を、全てのメインスリットの幅の合計に対して６０％以上８０％以下にすることを特徴とする請求項３又は４記載の剃刀具。
【発明の詳細な説明】
【技術分野】
【０００１】
本発明は、剃刀具に関するものである。
【背景技術】
【０００２】
図４は主に女性が顔表面の産毛を剃ったり眉毛のラインを整えたりする際に使用する剃刀具１を示し、この種の剃刀具１は、使用者が手で把持する為の柄２と、柄２の先端部に取付けられた刃３とにより構成されている。
【０００３】
通常、上記した如き剃刀具１においては、使用者が刃先３ａを肌に当てたまま誤って刃先３ａに沿う方向に剃刀具１を操作しても肌を傷つけないように、刃先３ａにセーフティガード４を装着するようにしてある。
【０００４】
セーフティガード４は、図５に示す如く刃先３ａの長さ寸法より短い長さを有して薄板状に形成されたステンレスシート５に、横幅方向に延びる細長のブリッジ７を形成するよう、長手方向に沿って複数のスリット６を打抜き加工して構成されており、刃先３ａにセーフティガード４を装着する際には、図６に示す如く、ステンレスシート５を横幅方向中間部で曲折して、刃先３ａの先端部３ｂを露出させるよう刃先３ａに被覆し、ステンレスシート５の横幅方向両端部を刃３の両側面に夫々スポット溶接して構成している。
【０００５】
ここで、セーフティガード４に形成されたスリット６は、全て平行部の両側に円弧を備えた環状孔であり、ステンレスシート５の長手方向に平行であるスリット６の幅は約１．０ｍｍに形成され、且つスリット６，６同士の間であるブリッジ７の幅は約０．３ｍｍに形成されている。
【０００６】
これにより、セーフティガード４は、刃先３ａを各ブリッジ７により横滑りを防いでいる。又、刃先３ａの先端部３ｂはセーフティガード４で被覆することなく露出され、刃先３ａの先端部３ｂを用いることにより眉毛一本一本のラインを整えるような微妙な作業を行うことができるようにしている。
【０００７】
一方、剃刀具の他例には、図７、図８に示す如く、セーフティガードのスリットの構成を変形したものがある（例えば、特許文献１参照）。
【０００８】
このセーフティガード８のスリットは、刃先３ａの先端部３ｂから長手方向に沿って、平行線の両側に円弧を形成する複数の環状孔を備えるように、刃先３ａの先端部３ｂの端側に形成される一孔の第一サブスリット１１と、刃先３ａの先端部３ｂで第一サブスリット１１に隣接して形成される一孔の第二サブスリット１２と、刃先３ａの先端部３ｂを除く部分で第二サブスリット１２に隣接するよう刃先３ａの先端部３ｂ手前から長手方向の後方まで形成される複数のメインスリット１３とより構成されている。
【０００９】
ここで、第一サブスリット１１における、ステンレスシート９の長手方向と平行な幅１４は、０．８ｍｍ以上３．０ｍｍ以下に形成されており、第二サブスリット１２における、ステンレスシート９の長手方向と平行な幅１５は、第一サブスリット１１の幅１４より小さい０．３ｍｍ以上０．８ｍｍ未満に形成されており、第一サブスリット１１から第二サブスリット１２までの間に形成されるブリッジ１６の幅１７は、０．１ｍｍから０．３ｍｍに形成されている。なお、図中１８は第一サブスリット１１と第二サブスリット１２の深さを示している。
【００１０】
一方、メインスリット１３は、第一メインスリット１９と、第二メインスリット２０と、第三メインスリット２１とより形成されており、第一メインスリット１９は、刃先３ａの長手方向の約３分の１で中央、すなわち刃先３ａの長手方向で頻繁に使用される位置に形成されており、第二メインスリット２０は、刃先３ａの前方約３分の１である先端部３ｂの側に形成されおり、第三メインスリット２１は、刃先３ａの長手方向の後方約３分の１である先端部３ｂの反対側に形成されている。又、第一メインスリット１９における、ステンレスシート９の長手方向と平行な幅２２は１．１ｍｍ以上３．０ｍｍ以下に形成されており、第二メインスリット２０における、ステンレスシート９の長手方向と平行な幅２３は０．８ｍｍ以上１．１ｍｍ未満に形成されており、第三メインスリット２１における、ステンレスシート９の長手方向と平行な幅２４は０．８ｍｍから２．５ｍｍまでに形成されている。更に、第一メインスリット１９、第二メインスリット２０、第三メインスリット２１の間に形成されるブリッジ１０の幅２５は、第一サブスリット１１及び第二サブスリット１２のブリッジ１６と一連となるよう０．１ｍｍから０．３ｍｍまでに形成されている。なお、図中２６はメインスリット１３の深さを示している。
【００１１】
これにより、セーフティガード４は、第一サブスリット１１と第二サブスリット１２を形成するブリッジ１６を備えて横滑り防止の二重構造とし、使用者が眉毛のラインや顔の起伏部分を整える作業において、初心者でも安心して使用することができるようにしている。
【特許文献１】特開２００１−１２９２７３号公報
【発明の開示】
【発明が解決しようとする課題】
【００１２】
しかしながら、剃刀具１のセーフティガード８において第一サブスリット１１と第二サブスリット１２を形成する場合であっても、使用者が眉毛のラインや顔の起伏部分を整える作業方法によっては、メインスリット１３が皮膚に接触して僅かに切ってしまうおそれがあると共に、横滑りのおそれがあり、安全性を一層高めることが求められていた。特に、剃刀具の柄２を箸の持ち方で眉等の整毛作業を行う通常の使用例とは別に、剃刀具の柄２をナイフやフォークの持ち方で眉等の整毛作業を行う他の使用例では、メインスリット１３が皮膚に接触して僅かに切ってしまうおそれがあった。
【００１３】
本発明は、上述の実情に鑑みてなしたもので、剃り時の安全性を一層高める剃刀具を提供することを目的としている。
【課題を解決するための手段】
【００１４】
本発明は、柄の先端部に取付けられた刃に、刃先を所定間隔で露出させるスリットを形成するよう、刃先を複数箇所で覆うブリッジを備えるセーフティガードを装着した剃刀具であって、
前記セーフティガードのスリットは、前記刃先の先端部の端側に形成される第一サブスリットと、該第一サブスリットに隣接して第一サブスリットの幅より小さい幅で形成される第二サブスリットと、該第二サブスリットに隣接して第二サブスリットの幅より小さい幅で形成される第三サブスリットと、第三サブスリットに隣接して形成される複数のメインスリットとを備え、
前記第二サブスリット及び第三サブスリットは、剃り時の安全性を高めるよう構成されたことを特徴とする剃刀具、にかかるものである。
【００１５】
本発明は、第一サブスリットの幅を０．８ｍｍ以上３．０ｍｍ未満に、第二サブスリットの幅を０．６ｍｍ以上２．０ｍｍ未満に、第三サブスリットの幅を０．３ｍｍ以上０．８ｍｍ以下に、メインスリットの幅を０．６ｍｍ以上６．０ｍｍ以下に、ブリッジの幅を０．１ｍｍ以上０．５ｍｍ以下にしたことを特徴とすることが好ましい。
【００１６】
本発明は、メインスリットが、頻繁に使用する刃先の中央に形成される第一メインスリットと、刃先の先端部の側に幅を第一メインスリットの幅より小さく且つ第三サブスリットの幅より大きくして形成される第二メインスリットと、刃先の基端部の側に幅を第一メインスリットの幅より小さくして形成される第三メインスリットとを備え、
第一メインスリットは、斜め剃り、深剃り、剃り効率の向上の少なくとも１つを行い得るよう構成されることが好ましい。
【００１７】
本発明は、メインスリットの第一メインスリットの幅を３．０ｍｍより大きく６．０ｍｍ以下に、第二メインスリットの幅を０．６ｍｍ以上３．０ｍｍ以下に、第三メインスリットの幅を０．６ｍｍ以上３．０ｍｍ以下にすることが好ましい。
【００１８】
本発明は、第一メインスリットの存在区間を、全てのメインスリットの幅の合計に対して６０％以上８０％以下にすることが好ましい。
【発明の効果】
【００１９】
本発明の剃刀具によれば、第一サブスリット、第二サブスリット、第三サブスリットの構成により、種々の作業方法や持ち方においてもメインスリットの刃先が皮膚に接触して僅かに切ってしまうことを防止すると共に、横滑りを十分に防止し、剃り時の安全性を一層高めることができるという優れた効果を奏する。
【発明を実施するための最良の形態】
【００２０】
以下、本発明の形態例を図面を参照しつつ説明する。
【００２１】
図１〜図３は本発明の実施の形態例を示すものであり、図１はセーフティガードを構成するステンレスシートの平面図を示し、図２はセーフティガードを刃に被覆した状態の側面図を示し、図３はセーフティガードを装着した刃を柄の先端部に取り付けた状態の側面図を示している。なお、図中図４〜図８と同一の符号を付した部分は同一物を表わしている。
【００２２】
剃刀具１は、使用者が手で把持する為の柄２と、柄２の長手方向に沿って延在するよう、柄２の先端部に取付けられる刃３とにより構成されている。
【００２３】
刃先３ａに装着されるセーフティガード３１は、薄板状に形成されたステンレスシート３２に、横幅方向に延びる細長のブリッジ３３を形成するよう長手方向に沿って複数のスリットを打抜き加工することによって形成されており、又、セーフティガード３１の長手方向の全長は、刃先３ａの全長寸法と略等しい長さになるよう、２０ｍｍ以上６０ｍｍ以下、好ましくは３３ｍｍ以上３５ｍｍ以下になっている。
【００２４】
セーフティガード３１のスリットは、刃先３ａの先端部３ｂに形成される一孔の第一サブスリット３４と、刃先３ａの先端部３ｂで第一サブスリット３４に隣接して形成される一孔の第二サブスリット３５と、刃先３ａの先端部３ｂで第一サブスリット３４と反対側に位置するよう第二サブスリット３５に隣接して形成される一孔の第三サブスリット３６と、刃先３ａの先端部３ｂを除く部分で第三サブスリット３６に隣接するよう刃先３ａの中央部３ｃから長手方向の後方の基端部３ｄまで形成される複数孔のメインスリット３７とより構成されており、第一サブスリット３４、第二サブスリット３５、第三サブスリット３６、メインスリット３７は夫々、大きさを異にし且つ平行部の両側に円弧を備える環状孔で形成されている。
【００２５】
ここで、第一サブスリット３４は、ステンレスシート３２の長手方向と平行な幅３８を、０．８ｍｍ以上３．０ｍｍ未満、好ましくは１．５ｍｍ以上２．９ｍｍ以下、更に好ましくは１．６ｍｍより大きく２．８ｍｍ以下にし、ステンレスシート３２の長手方向と略垂直な方向の深さ３９をメインスリット３７より小さくしている。
【００２６】
第二サブスリット３５は、ステンレスシート３２の長手方向と平行な幅４０を、第一サブスリット３４の幅３８より小さい幅で形成するよう、０．６ｍｍ以上２．０ｍｍ未満、好ましくは０．８ｍｍ以上１．８ｍｍ以下、更に好ましくは０．９ｍｍ以上１．６ｍｍ以下にし、ステンレスシート３２の長手方向と略垂直な方向の深さ３９を、第一サブスリット３４と略同様な長さでメインスリット３７より小さくしている。
【００２７】
第三サブスリット３６は、ステンレスシート３２の長手方向と平行な幅４１を、第二サブスリット３５の幅４０より小さい幅で形成するよう、０．３ｍｍ以上０．８ｍｍ以下、特に好ましくは０．３ｍｍ以上０．７ｍｍ以下にし、ステンレスシート３２の長手方向と略垂直な方向の深さ３９を、第一サブスリット３４及び第二サブスリット３５と略同様な長さでメインスリット３７より小さくしている。
【００２８】
第一サブスリット３４、第二サブスリット３５及び第三サブスリット３６までの間に位置するブリッジ３３は、夫々同じ幅で形成されており、ステンレスシート３２の長手方向と平行な幅４２を０．１ｍｍ以上０．５ｍｍ以下、好ましくは０．２ｍｍ以上０．５ｍｍ以下にしている。
【００２９】
一方、メインスリット３７は、刃先３ａの中央部３ｃの略中央に形成される第一メインスリット４３と、刃先３ａの中央部３ｃで先端部の側に形成される第二メインスリット４４と、刃先３ａの基端部３ｄの側に形成される第三メインスリット４５とより構成されている。
【００３０】
第一メインスリット４３は、刃先３ａの中央部３ｃの略中央、すなわち頻繁（頻度多く）に使用される位置に形成されており、全てのメインスリット３７の幅４６，４７，４８の合計（第一メインスリット４３の幅４６、第二メインスリット４４の幅４７、第三メインスリット４５の幅４８の全ての合計値）に対し、存在割合（第一メインスリット４３の幅４６の合計値の割合）を６０％以上８０％以下にしている。又、第一メインスリット４３における、ステンレスシート３２の長手方向と平行な幅４６を３．０ｍｍより大きく６．０ｍｍ以下、好ましくは３．５ｍｍ以上５．０ｍｍ以下にしている。
【００３１】
第二メインスリット４４は、刃先３ａの中央部３ｃで先端部の側に形成されており、全てのメインスリット３７の幅４６，４７，４８の合計（第一メインスリット４３の幅４６、第二メインスリット４４の幅４７、第三メインスリット４５の幅４８の全ての合計値）に対し、存在割合（第二メインスリット４４の幅４７の合計値の割合）を５％以上２０％以下、好ましくは５％以上１０％以下にしている。又、第二メインスリット４４における、ステンレスシート３２の長手方向と平行な幅４７を、第一メインスリット４３の幅４６より小さく且つ第三サブスリット３６の幅４１より大きくして形成されるよう、０．６ｍｍ以上３．０ｍｍ以下、好ましくは０．８ｍｍより大きく２．８ｍｍ以下にしている。ここで、第二メインスリット４４の存在割合は、第一メインスリット４３の存在割合、及び第三メインスリット４５の存在割合と合計した際に、１００％を超えない範囲になっている。
【００３２】
第三メインスリット４５は、刃先３ａの中央部３ｃで基端部３ｄの側に形成されており、全てのメインスリット３７の幅４６，４７，４８の合計（第一メインスリット４３の幅４６、第二メインスリット４４の幅４７、第三メインスリット４５の幅４８の全ての合計値）に対し、存在割合（第三メインスリット４５の幅４８の合計値の割合）を５％以上２０％以下、好ましくは１０％以上２０％以下にしている。又、第三メインスリット４５における、ステンレスシート３２の長手方向と平行な幅４８を、第一メインスリット４３の幅４６より小さく且つ第三サブスリット３６の幅４１より大きくして形成されるよう、０．６ｍｍ以上３．０ｍｍ以下、好ましくは０．８ｍｍより大きく２．８ｍｍ以下にしている。ここで、第三メインスリット４５の存在割合は、第一メインスリット４３の存在割合、及び第二メインスリット４４の存在割合と合計した際に、１００％を超えない範囲になっている。
【００３３】
第一メインスリット４３、第二メインスリット４４及び第三メインスリット４５までの間に位置するブリッジ３３は、夫々同じ幅５２で形成されており、ステンレスシート３２の長手方向と平行な幅を０．１ｍｍ以上０．５ｍｍ以下、好ましくは０．２ｍｍ以上０．５ｍｍ以下にしている。
【００３４】
このようなセーフティガード３１を刃先３ａに装着する際には、図２、図３に示す如く、ステンレスシート３２を横幅方向中間部で曲折し、刃先３ａに先端部３ｂから基端部３ｄ近傍までを被覆するよう嵌合し、ステンレスシート３２の横幅方向両端部を刃３の両側面に夫々スポット溶接して固定する。
【００３５】
以下、本発明の実施の形態例の作用を説明する。
【００３６】
セーフティガード３１を刃先３ａに装着した剃刀具３０により、顔を剃る際には、第一サブスリット３４及び第二サブスリット３５のみならず、第三サブスリット３６を備えることにより、使用者が眉毛のラインや顔の起伏部分を整える作業方法において、メインスリット３７の刃先３ａが皮膚に接触して僅かに切ってしまうことを防止すると共に、横滑りを十分に防止する。
【００３７】
又、剃刀具３０は、第三サブスリット３６を備えて、第一サブスリット３４及び第二サブスリット３５と、メインスリット３７とを離間させることにより、眉等の整毛作業において、剃刀具３０の柄２を通常の箸の持ち方（親指、人差し指、中指を使って剃刀具３０の柄２を挟み込む持ち方）や、剃刀具３０の柄２をナイフやフォークの持ち方（親指、人差し指、手のひら等を使って剃刀具３０の柄２を包み込む持ち方）であっても、メインスリット３７の刃先３ａが皮膚に接触して僅かに切ってしまうことを防止すると共に、横滑りを十分に防止する。
【００３８】
一方、ヒゲやモミアゲ等を剃る際には、メインスリット３７の第一メインスリット４３の幅４６が、第二メインスリット４４の幅４７及び第三メインスリット４５の幅４８より大きく形成され、且つ６０％以上８０％以下の存在割合で構成されることにより、刃先３ａの中央部３ｃの剃り得る有効範囲を好適にし、理容師等の熟練者が皮膚に対し刃先３ａを所定の角度で斜めに当てて移動させる斜め剃りや、男性が濃いヒゲ等を剃る深剃りを、容易且つ十分に行う。又、第二メインスリット４４の幅４７を、第一メインスリット４３の幅４６より小さくし且つ第一メインスリット４３の一側に備えると共に、第三メインスリット４５の幅４８を、第一メインスリット４３の幅４６より小さくし且つ第一メインスリット４３の他側に備えることにより、第一メインスリット４３の刃先３ａが皮膚に接触して僅かに切ってしまうことを防止すると共に、横滑りを十分に防止する。
【００３９】
ここで、本発明の剃刀具の実施例と、比較例とを使用評価で比較した例を示すと、比較方法では、種々の習熟度レベルのモニター男子数名により、同じ使用方法、同じ条件で下記の実施例の剃刀具、比較例の剃刀具を使用し、対比検討した。
【００４０】
実施例の一つとして、実施例の第一の剃刀具は第一サブスリットの幅を２．５ｍｍ、第二サブスリットの幅を０．９ｍｍ、第三サブスリットの幅を０．５ｍｍ、第一メインスリットの幅を５．１ｍｍ、第二メインスリットの幅を１．１ｍｍ、第三メインスリットの幅を１．０ｍｍにし、一つの比較例の剃刀具は、第三サブスリットがなく、第一サブスリットの幅を２．５ｍｍ、第二サブスリットの幅を０．９ｍｍ、第一メインスリットの幅を５．１ｍｍ、第二メインスリットの幅を１．１ｍｍ、第三メインスリットの幅を１．０ｍｍにした。
【００４１】
実施例の他の一つとして、実施例の第二の剃刀具は第一サブスリットの幅を２．８ｍｍ、第二サブスリットの幅を１．６ｍｍ、第三サブスリットの幅を０．３ｍｍ、第一メインスリットの幅を５．１ｍｍ、第二メインスリットの幅を１．１ｍｍ、第三メインスリットの幅を１．０ｍｍにし、他の一つの比較例の剃刀具は、第三サブスリットがなく、第一サブスリットの幅を２．８ｍｍ、第二サブスリットの幅を１．６ｍｍ、第一メインスリットの幅を５．１ｍｍ、第二メインスリットの幅を１．１ｍｍ、第三メインスリットの幅を１．０ｍｍにした。
【００４２】
実施例の別の一つとして、実施例の第三の剃刀具は第一サブスリットの幅を１．７ｍｍ、第二サブスリットの幅を１．０ｍｍ、第三サブスリットの幅を０．６ｍｍ、第一メインスリットの幅を５．１ｍｍ、第二メインスリットの幅を１．１ｍｍ、第三メインスリットの幅を１．０ｍｍにし、別の一つの比較例の剃刀具は、第三サブスリットがなく、第一サブスリットの幅を１．７ｍｍ、第二サブスリットの幅を１．０ｍｍ、第一メインスリットの幅を５．１ｍｍ、第二メインスリットの幅を１．１ｍｍ、第三メインスリットの幅を１．０ｍｍにした。
【００４３】
実施例の更に他の一つとして、実施例の第四の剃刀具は第一サブスリットの幅を２．０ｍｍ、第二サブスリットの幅を１．５ｍｍ、第三サブスリットの幅を０．４ｍｍ、第一メインスリットの幅を５．１ｍｍ、第二メインスリットの幅を１．１ｍｍ、第三メインスリットの幅を１．０ｍｍにし、更に他の一つの比較例の剃刀具は、第三サブスリットがなく、第一サブスリットの幅を２．０ｍｍ、第二サブスリットの幅を１．５ｍｍ、第一メインスリットの幅を５．１ｍｍ、第二メインスリットの幅を１．１ｍｍ、第三メインスリットの幅を１．０ｍｍにした。
【００４４】
この結果、本発明の剃刀具の実施例は、夫々、比較例に対して、眉毛のラインや顔の起伏部分を整える作業等の種々の作業、特にナイフやフォークの持ち方での眉等の整毛作業において安全性に優れると共に、斜め剃り、深剃り、剃り効率に優れていた。
【００４５】
このように、本発明の形態例によれば、顔を剃る際には、第一サブスリット３４及び第二サブスリット３５のみならず、第三サブスリット３６を備えるので、使用者が眉毛のラインや顔の起伏部分を整える作業方法において、メインスリット３７の刃先３ａが皮膚に接触して僅かに切ってしまうことを防止すると共に、横滑りを十分に防止し、剃り時の安全性を一層高めることができる。
【００４６】
又、剃刀具３０は、第三サブスリット３６を備えて、第一サブスリット３４及び第二サブスリット３５と、メインスリット３７とを離間させるので、眉等の整毛作業において、剃刀具３０の柄２を通常の箸の持ち方（親指、人差し指、中指を使って剃刀具３０の柄２を挟み込む持ち方）や、剃刀具３０の柄２をナイフやフォークの持ち方（親指、人差し指、手のひら等を使って剃刀具３０の柄２を包み込む持ち方）であっても、メインスリット３７の刃先３ａが皮膚に接触して僅かに切ってしまうことを好適に防止すると共に、横滑りを十分に防止し、剃り時の安全性を一層高めることができる。
【００４７】
第一サブスリット３４の幅３８を０．８ｍｍ以上３．０ｍｍ未満に、第二サブスリット３５の幅４０を０．６ｍｍ以上２．０ｍｍ未満に、第三サブスリット３６の幅４１を０．３ｍｍ以上０．８ｍｍ以下に、メインスリット３７の幅４６，４７，４８を０．６ｍｍ以上６．０ｍｍ以下に、ブリッジ３３の幅４２を０．１ｍｍ以上０．５ｍｍ以下にすると、第一サブスリット３４、第二サブスリット３５、第三サブスリット３６、メインスリット３７等をバランス良く配置するので、種々の作業方法や持ち方においてもメインスリット３７の刃先３ａが皮膚に接触して僅かに切ってしまうことを防止すると共に、横滑りを十分に防止し、剃り時の安全性を一層高めることができる。又、第一サブスリット３４の幅３８を１．５ｍｍ以上２．９ｍｍ以下に、第二サブスリット３５の幅４０を０．８ｍｍ以上１．８ｍｍ以下に、第三サブスリット３６の幅４１を０．３ｍｍ以上０．７ｍｍ以下に、メインスリット３７の幅４６，４７，４８を０．６ｍｍ以上６．０ｍｍ以下に、ブリッジ３３の幅４２を０．２ｍｍ以上０．５ｍｍ以下にすると、それぞれの構成をバランス良く好適に配置するので、種々の作業方法や持ち方においてもメインスリット３７の刃先３ａが皮膚に接触して僅かに切ってしまうことを防止すると共に、横滑りを十分に防止し、剃り時の安全性を一層高めることができる。更に、第一サブスリット３４の幅３８を１．６ｍｍより大きく２．８ｍｍ以下に、第二サブスリット３５の幅４０を０．９ｍｍ以上１．６ｍｍ以下に、第三サブスリット３６の幅４１を０．３ｍｍ以上０．７ｍｍ以下に、メインスリット３７の幅４６，４７，４８を０．６ｍｍ以上６．０ｍｍ以下に、ブリッジ３３の幅４２を０．２ｍｍ以上０．５ｍｍ以下にすると、それぞれの構成を最もバランス良く好適に配置するので、種々の作業方法や持ち方においてもメインスリット３７の刃先３ａが皮膚に接触して僅かに切ってしまうことを防止すると共に、横滑りを十分に防止し、剃り時の安全性を一層高めることができる。
【００４８】
ここで、第三サブスリット３６の幅４１を０．３ｍｍ未満にすると、メインスリット３７の刃先３ａが皮膚に接触して僅かに切ってしまうおそれが残ると共に、横滑りのおそれがあり、特にナイフやフォークの持ち方での眉等の整毛作業の場合には、メインスリット３７の刃先３ａが皮膚に接触して僅かに切ってしまう可能性がある。又、第三サブスリット３６の幅４１を０．８ｍｍより大きくすると、メインスリット３７の代わりに第三サブスリット３６の刃先３ａが皮膚に接触して僅かに切ってしまうおそれがある。更に、第一サブスリット３４の幅３８を０．８ｍｍ未満、又は第二サブスリット３５の幅４０を０．６ｍｍ未満にすると、剃りにくさが増大して快適な剃り味を得ることができない。更に又、第一サブスリット３４の幅３８を３．０ｍｍ以上、又は第二サブスリット３５の幅４０を２．０ｍｍ以上にすると、第三サブスリット３６及びメインスリット３７を組み合わせた場合に横滑りを防止することができない。更に、ブリッジ３３の幅４２を０．１ｍｍ未満にすると、セーフティガード３１の強度が著しく低下し、０．５ｍｍより大きくすると刃先３ａの露出間隔が大きくなり、非常に剃りにくいものとなる。
【００４９】
メインスリット３７が、頻繁に使用する刃先３ａの中央に形成される第一メインスリット４３と、刃先３ａの先端部の側に幅を第一メインスリット４３の幅４６より小さく且つ第三メインスリット４５の幅４８より大きくして形成される第二メインスリット４４と、刃先３ａの基端部３ｄの側に幅を第一メインスリット４３の幅４６より小さくして形成される第三メインスリット４５とを備え、第一メインスリット４３は、斜め剃り、深剃り、剃り効率の向上の少なくとも１つを行い得るよう構成されると、第一メインスリット４３の幅４６を、第二メインスリット４４の幅４７及び第三メインスリット４５の幅４８より大きく形成するので、斜め剃り、深剃り、剃り効率（一回の剃り量）を高め、使い慣れた者が満足して剃刀具３０を使用することができる。又、同時に、第二メインスリット４４の幅４７を、第一メインスリット４３の幅４６より小さくし且つ第一メインスリット４３の一側に備えると共に、第三メインスリット４５の幅４８を、第一メインスリット４３の幅４６より小さくし且つ第一メインスリット４３の他側に備えるので、第一メインスリット４３の刃先３ａが皮膚に接触して僅かに切ってしまうことを防止すると共に、横滑りを十分に防止し、安全性を維持することができる。更に、刃先３ａの基端部３ｄの側に第一メインスリット４３の幅４６より小さい幅の第三メインスリット４５を備えるので、特に斜め剃りの場合に、第一メインスリット４３の刃先３ａが皮膚に接触して僅かに切ってしまうことを防止すると共に、横滑りを十分に防止し、安全性を向上することができる。更に又、第一メインスリット４３、第二メインスリット４４及び第三メインスリット４５の幅４６，４７，４８の大きさ、配置等の構成により、横滑りを防止すると共に剃りにくさを解消し、且つ剃り効率を向上させることができる。
【００５０】
メインスリット３７の第一メインスリット４３の幅４６を３．０ｍｍより大きく６．０ｍｍ以下に、第二メインスリット４４の幅４７を０．６ｍｍ以上３．０ｍｍ以下に、第三メインスリット４５の幅４８を０．６ｍｍ以上３．０ｍｍ以下にすると、第一メインスリット４３、第二メインスリット４４、第三メインスリット４５をバランス良く配置するので、斜め剃り、深剃り、剃り効率（一回の剃り量）を高め、使い慣れた者が一層満足して剃刀具３０を使用することができると共に、第一メインスリット４３の刃先３ａが皮膚に接触して僅かに切ってしまうことを防止し、安全性を維持することができる。又、第一メインスリット４３の幅４６を３．５ｍｍ以上５．０ｍｍ以下に、第二メインスリット４４の幅４７を０．８ｍｍより大きく２．８ｍｍ以下に、第三メインスリット４５の幅４８を０．８ｍｍより大きく２．８ｍｍ以下にすると、それぞれの構成をバランス良く好適に配置するので、斜め剃り、深剃り、剃り効率（一回の剃り量）を高め、使い慣れた者が一層満足して剃刀具３０を使用することができる。同時に、第一メインスリット４３の刃先３ａが皮膚に接触して僅かに切ってしまうことを防止すると共に、横滑りを十分に防止し、安全性を維持することができる。
【００５１】
ここで、第一メインスリット４３の幅４６を３．０ｍｍ以下にすると、斜め剃り、深剃り、剃り効率（一回の剃り量）を高めることができず、使い慣れた者が満足して剃刀具３０を使用することができない。又、第一メインスリット４３の幅４６を６．０ｍｍより大きくすると、各サブスリット３４，３５，３６、第二メインスリット４４及び第三メインスリット４５を備える構成であっても、安全性を維持することができない。更に、第二メインスリット４４の幅４７を０．６ｍｍ未満、又は第三メインスリット４５の幅４８を０．６ｍｍ未満にすると、剃りにくさが増大して快適な剃り味を得ることができない。更に又、第二メインスリット４４の幅４７を３．０ｍｍより大きく、又は第三メインスリット４５の幅４８を３．０ｍｍより大きくすると、各サブスリット３４，３５，３６及び第一メインスリット４３を組み合わせた場合に横滑りを防止することができない。
【００５２】
メインスリット３７の第一メインスリット４３の存在区間を、全てのメインスリット３７の幅４６，４７，４８の合計に対して６０％以上８０％以下にすると、深剃り、剃り効率（一回の剃り量）を高め、使い慣れた者が一層満足して剃刀具３０を使用することができる。又、横滑りを防止すると共に剃りにくさを解消して快適な剃り味を達成することができる。ここで、第一メインスリット４３の存在区間を６０％未満にすると、効率の良い使い易さが著しく低下し、第一メインスリット４３の存在区間を８０％より大きくすると、各サブスリット３４，３５，３６、第二メインスリット４４、第三メインスリット４５が機能せず、安全性に懸念が生じる。
【００５３】
メインスリット３７の第二メインスリット４４の存在区間を、全てのメインスリット３７の幅４６，４７，４８の合計に対して５％以上２０％以下にすると、各サブスリット３４，３５，３６及び第一メインスリット４３に対応して、第一メインスリット４３の刃先３ａが皮膚に接触して僅かに切ってしまうことを防止し、安全性を維持することができる。又、第二メインスリット４４の存在区間を５％以上１０％以下にすると、第一メインスリット４３の刃先３ａが皮膚に接触して僅かに切ってしまうことを好適に防止すると共に、横滑りを十分に防止し、安全性を一層維持することができる。ここで、第二メインスリット４４の存在区間を５％未満にすると、第一メインスリット４３に対して、安全性に懸念が生じ、第二メインスリット４４の存在区間を２０％より大きくすると、効率の良い使い易さが著しく低下する。
【００５４】
メインスリット３７の第三メインスリット４５の存在区間を、全てのメインスリット３７の幅４６，４７，４８の合計に対して５％以上２０％以下にすると、第一メインスリット４３に対応して、第一メインスリット４３の刃先３ａが皮膚に接触して僅かに切ってしまうことを防止し、安全性を維持することができる。又、第三メインスリット４５の存在区間を１０％以上２０％以下にすると、第一メインスリット４３の刃先３ａが皮膚に接触して僅かに切ってしまうことを好適に防止すると共に、横滑りを十分に防止し、安全性を一層維持することができる。ここで、第二メインスリット４４の存在区間を５％未満にすると、第一メインスリット４３に対して、安全性に懸念が生じ、第二メインスリット４４の存在区間を２０％より大きくすると、効率の良い使い易さが著しく低下する。
【００５５】
第一サブスリット３４、第二サブスリット３５、第三サブスリット３６の深さ３９を、メインスリット３７の深さ４９，５０，５１よりも短くすると、刃先３ａの先端部３ｂの位置が容易に判断し得るので刃先３ａの先端部３ｂを好適に使用することができる。
【００５６】
尚、本発明の剃刀具は、上述の形態例にのみ限定されるものではなく、本発明の要旨を逸脱しない範囲内において種々変更を加え得ることは勿論である。
【図面の簡単な説明】
【００５７】
【図１】本発明の剃刀具の実施の形態例においてセーフティガードを構成するステンレスシートの平面図である。
【図２】セーフティガードを刃に被覆した状態を示す側面図である。
【図３】セーフティガードを装着した刃を柄の先端部に取り付けた状態を示す側面図である。
【図４】従来の剃刀具を示す側面図である。
【図５】従来の剃刀具においてセーフティガードを構成するステンレスシートの平面図である。
【図６】従来のセーフティガードを刃に被覆した状態を示す側面図である。
【図７】従来の剃刀具の他例においてセーフティガードを構成するステンレスシートの平面図である。
【図８】従来の剃刀具の他例においてセーフティガードを刃に被覆した状態を示す側面図である。
【符号の説明】
【００５８】
２    柄
３    刃
３ａ  刃先
３ｂ  先端部
３ｃ  中央部
３ｄ  基端部
３０    剃刀具
３１    セーフティガード
３３    ブリッジ
３４    第一サブスリット
３５    第二サブスリット
３６    第三サブスリット
３７    メインスリット
３８    第一サブスリットの幅
４０    第二サブスリットの幅
４１    第二サブスリットの幅
４２    ブリッジの幅
４３    第一メインスリット
４４    第二メインスリット
４５    第三メインスリット
【図１】
2007075497.tif 000003
【図２】
2007075497.tif 000004
【図３】
2007075497.tif 000005
【図４】
2007075497.tif 000006
【図５】
2007075497.tif 000007
【図６】
2007075497.tif 000008
【図７】
2007075497.tif 000009
【図８】
2007075497.tif 000010